(57)【要約】【課題】屋上面の汚染を防止して美観を確保し、植物の根腐れや土壌の乾燥を防止することで緑化システムの保全を容易にする屋上緑化プランターを提供する。【解決手段】屋上緑化プランター１は、上部開口の有底容器２と、有底容器の底部に敷設される容器上部との間に空間を確保する厚さの透水性多孔発泡ポリスチレン３と、透水性多孔発泡ポリスチレン３の上面に積層される土壌層４と、有底容器の側部に在って土壌層の底面との間に所定の間隔を保って形成される水位設定水抜き孔７と、透水性多孔発泡ポリスチレンの内部に形成される水抜き可能な貯留水部１０及び貯留水部１０と土壌層間に亘って配置される毛細管吸水機構１３から構成され、毛細管吸水機構１３を透水性多孔発泡ポリスチレンの上面中央部に設けた凹部１１に充填する土壌１２で構成している。【選択図】　図１
2004121178.tif 000002
【特許請求の範囲】
【請求項１】
上部開口の有底容器、該有底容器の底部に敷設される容器上部との間に空間を確保する厚さの透水性多孔発泡ポリスチレン、該透水性多孔発泡ポリスチレンの上面に積層される土壌層、該有底容器の側部に在って土壌層の底面との間に所定の間隔を保って形成される水位設定水抜き孔、該透水性多孔発泡ポリスチレンの内部に形成される水抜き可能な貯留水部及び該貯留水部と土壌層間に亘って配置される毛細管吸水機構から構成される屋上緑化プランター。
【請求項２】
毛細管吸水機構が、透水性多孔発泡ポリスチレンの上面中央部に設けられた凹部に充填される土壌で構成されることを特徴とする請求項１に記載の屋上緑化プランター。
【発明の詳細な説明】
【０００１】
【発明の属する技術分野】
本発明は、緑化プランターに関し、特に、軽量にして充分な保水性と汚染されない排水のできる屋上緑化プランターに関する。
【０００２】
【従来の技術】
近年、身近な自然の減少、都市のヒートアイランド化及びＣＯ２の抑制等が問題になってきており、これらの対策として、生物多様性を目指した自然環境の復元、大気の浄化、ヒートアイランド現象の緩和を図るために、建物の空調エネルギーの削減、景観面の向上を図る未利用空間の活用及びアメニティ空間の創出等を目的にして、建物の屋上における緑化対策が各種の形態で図られている。
【０００３】
建物の屋上緑化については、屋上部における樹木を地上部と同様に植栽することで、従来技術の延長線上で維持管理を行うという工夫を凝らしながら早期緑化を可能にする状況を形成したり、各種の植物が植栽された緑化プランターを屋上部に配列させながら、適宜の給水設備を装備することで所望の緑化を維持管理するように構成する方法等が提案されていた。
【０００４】
【特許文献１】特開平９−３２２６５１号公報（第３頁、段落番号「００１３」、第１〜５図）
【特許文献２】実開平６−３１４４９号公報（第２頁、第１〜７図）
【０００５】
しかるに、屋上緑化システムは、建物に過剰な負担を掛けずに躯体等に特別の補強や防水処置を施す等の対策を不要にするという根本的な問題点を解決する必要があると同時に、これに加えて、屋上緑化システムのメンテナンスを容易にする必要から、以下の問題点を解決するために、適切な屋上緑化プランターの改善が望まれている。
【０００６】
▲１▼　緑化システムの困難な保全
屋上緑化には、防水層の改修等多くのメンテナンスを要するが、植栽装置は重くて移動が容易でないので、メンテナンスが困難であった。
【０００７】
▲２▼　屋上美観の損壊
緑化システムは、人工的な閉塞領域のためにスプリンクラーを用いた散水やホースを使用した給水を要して水の飛散を回避できず、屋上の美観を損ねていた。
【０００８】
▲３▼　屋上面の汚染
多量の降雨や植物への散水多過によって植栽装置の排水孔から余剰水を流出するが、排水孔に直接設置しているフィルターが目詰まりすることで機能が低下して、屋上面を汚染していた。
【０００９】
▲４▼　植物の根腐れ
従来の植物への給水手段は、水耕栽培を模倣した貯留水を繊維質等の素材を用いて毛細管現象による土壌の湿潤や、植物根を貯留水中に浸す底面給水栽培が採用されていたが、給水過多や酸欠状態のために根腐れを起こしていた。
【００１０】
▲５▼　土壌の乾燥
植栽装置の軽量化で土壌厚を薄くするために多くの給水間隔を設定してエネルギー面の無駄も生じるが、対策としての給水調整は水不足を生じており、土壌を乾燥状態にして植物を枯死させている。
【００１１】
【発明が解決しようとする課題】
本発明は、上記の状況に鑑みて問題点を解決するための改善案を提案するものであり、屋上面の汚染を防止して美観を確保し、植物の根腐れや土壌の乾燥を防止することで緑化システムの保全を容易にする屋上緑化プランターの提供を目的にしている。
【００１２】
【課題を解決するための手段】
本発明による屋上緑化プランターは、基本的に、上部開口の有底容器と、有底容器の底部に敷設される容器上部との間に空間を確保する厚さの透水性多孔発泡ポリスチレンと、透水性多孔発泡ポリスチレンの上面に積層される土壌層と、有底容器の側部に在って土壌層の底面との間に所定の間隔を保って形成される水位設定水抜き孔と、透水性多孔発泡ポリスチレンの内部に形成される水抜き可能な貯留水部及び貯留水部と土壌層間に亘って配置される毛細管吸水機構から構成されており、毛細管吸水機構を透水性多孔発泡ポリスチレンの上面中央部に設けた凹部に充填する土壌で構成することを特徴としている。
【００１３】
本発明は、これによって、軽量にすることで移動を容易にした屋上緑化プランターを配置している屋上面の汚染を防止して屋上の美観を確保すると同時に、植栽する植物の根腐れやこれを植え付ける土壌の乾燥を防止することによって、植物の健全な生育を可能にする緑化プタンタの保全を容易にしている。
【００１４】
【発明の実施の形態】
本発明による屋上緑化プランターは、上部が開口している有底容器とその底部に敷設されて容器上部との間に空間を確保する厚さの透水性多孔発泡ポリスチレン、透水性多孔発泡ポリスチレンの上面に積層される土壌層と有底容器の側部に在って土壌層の底面との間に所定の間隔を保って形成される水位設定水抜き孔、透水性多孔発泡ポリスチレンの内部に形成される水抜き可能な貯留水部及び貯留水部と土壌層間に亘って配置される毛細管吸水機構から構成され、毛細管吸水機構を透水性多孔発泡ポリスチレンの上面中央部に設けた凹部に充填する土壌で構成することを特徴にしており、貯留水と土壌層との間に空隙を確保すると同時に、凹部に充填される土壌の毛細管現象によって給水される土壌は、植物の根腐れを防止しながら適切な湿潤状態を常に保持している。
以下に、本発明による屋上緑化プランターの実施の形態を図面に基づいて詳細に説明する。
【００１５】
図１は、本実施の形態における屋上緑化プランターの斜視図であり、部分的に切り欠くことでその要部を指し示している。
【００１６】
屋上緑化プランター１は、側部と底部とから構成され上部を開口している容器２とその内部に配置されている透水性の多孔発泡ポリスチレン３及びその上面に積層されている土壌層４から構成されている。
【００１７】
容器２には、側部の下方に開口５が設けられており、開口５を水栓６で閉鎖することで容器の内部に水を貯留させると共に、これを開放することで貯留水を排出して屋上緑化プランター１の軽量化を図ることが可能になるので、その運搬や移動作業を容易にしている。
【００１８】
又、容器２の側部の中間位置には、貯留水の水位を規制できるように水抜き孔７を設けている。水抜き孔７の設置位置は、上記土壌層４との関連で決められており、土壌層４の底面との間に所定の間隔を保つことで、後述する貯留水部１０に水が貯留された場合には、図示のように土壌層４と貯留水の上面位置との間に任意の空気層８が形成されるように考慮されている。
【００１９】
図２は、図１の斜視図を（２）−（２）矢視した屋上緑化プランターの断面図である。
【００２０】
本実施の形態では、図示で明らかなように、多孔発泡ポリスチレン３は、形成される多孔を連続的に通じさせることで透水性を有するように構成されており、容器２に多孔発泡ポリスチレン３を配置した場合に、多孔発泡ポリスチレン３の上面が、容器２の開口上部との間に土壌層４を積層出来るだけの空隙９を形成できるように、その厚さを設定している。
【００２１】
多孔発泡ポリスチレン３の内部には、容器２の開口５を水栓６で閉鎖することによって、容器２に供給される水を貯留させることができる貯留水部１０の形成を可能にしている。
【００２２】
又、多孔発泡ポリスチレン３の上面には、その中央部に任意形状の凹部１１が形成されている。凹部１１の平面形状は任意であるが、その深さは、上記貯留水部１０の内部の所定位置まで到達するように設定されるものであり、多孔発泡ポリスチレン３の上面に積層される土壌層４は、その底部を凹部１１に充填されている土壌１２を介して貯留水部１０と結合されている。
【００２３】
従って、本実施の形態では、貯留水部１０と土壌層４との間に土壌１２で形成される毛細管吸水機構１３が配置されているものであり、貯留水部１０に水が貯留されている場合には、土壌１２における毛細管現象によって貯留水を吸い上げて土壌層４に給水することになる。しかして、毛細管吸水機構１３の働きによって貯留水部１０の貯留水が減少し、その上面水位が、多孔発泡ポリスチレン３に形成された凹部１１の下端を離れるに至った場合には、毛細管現象による吸水作用は停止されて土壌層４への給水を終了することになる。
【００２４】
尚、本実施の形態では、多孔発泡ポリスチレン３の上面に形成されている凹部１１の深さを貯留水部１０の所定位置に留めているが、凹部１１の深さは、これに限定されるものでなく、多孔発泡ポリスチレン３を貫通させて容器２の底部に到達するように設定することも任意であり、貯留水部１０の貯留水が無くなるまで毛細管現象による吸水作用を継続させて土壌層４への給水を終了させない場合もあり得るものである。
【００２５】
以上の構成から、水抜き孔７の設置位置で決められる貯留水部１０の上面まで水が貯留された場合には、植栽に必要な水が毛細管吸水機構１３によって土壌層４に給水され続けるが、土壌層４への散水が行われずに貯留水部１０の水位が低下することで、貯留水部１０の上面と毛細管吸水機構１３との関連が切れる段階に至る場合には、土壌層４への給水が終了することになる。
【００２６】
従って、植栽に必要な水の土壌層４への給水は自動的に制御されるものであり、長期の日照りが続いたり、土壌への散水が全く行われなくなる以外での屋上緑化プランターへの給排水は、結果的に非管理の状態をも形成可能になるものである。
【００２７】
尚、本実施の形態では、毛細管吸水機構として、多孔発泡ポリスチレンに形成された凹部に充填されている土壌を配置しているが、本発明に用いる毛細管吸水機構は、貯留水を毛細管現象による吸水作用で吸い上げながら土壌層に給水するものであるから、上記の実施の形態に何ら限定されるものでなく、綿糸や織布等に代表されるような毛細管現象を発揮するものであれば、当然に採用できるものである。
【００２８】
一方、土壌層４は、多孔発泡ポリスチレン３の上面に容器２の開口上部まで積層されているが、土壌層４への給水は、毛細管吸水機構１３によって所望の湿潤状態を形成するように恒常的に維持されているので、その積層厚さは、最低の土壌量を確保できるもので充分である。又、土壌層４の下部には、貯留水の上面との間に空気層８を形成してあるので、空気層８に水抜き孔７を介して植物の生育に必要な空気を取り入れることが出来るものであり、根が酸欠状態になるのを回避して植栽植物の根腐れを確実に防止できるものである。
【００２９】
さらに、土壌層４に降雨したり散水される水は、土壌層４を流下して多孔発泡ポリスチレン３の内部に形成された貯留水部１０に貯留されるが、余剰の貯留水は水抜き孔７を通じて容器２の外部に流出されることになる。
【００３０】
従来の緑化プランター等では、この際に、内部の土壌と一緒になった泥水と化しており、集中的に流出する泥水が排出口を目詰まり状態にしていたが、本発明による屋上緑化プランターでは、土壌層４を流下してくる水を全域に亘って多孔発泡ポリスチレン３に透水させることによって土壌層４からの泥水を万遍に浄化しているので、水抜き孔７からの流出水は、綺麗に浄化されていつことで水抜き孔７の目詰まりや屋上の汚染を発生させることがない。
【００３１】
以上のように、本発明による屋上緑化プランターは、実施形態で説明したように構成されているので、土壌の乾燥を阻止しながら植物の根腐れを防止して緑化プランターの保全を容易にすると共に、屋上面の汚染を防止して屋上の美観を保持しており、従来の問題点を完全に解消している。
【００３２】
以上、本発明を実施の形態に基づいて詳細に説明してきたが、本発明による屋上緑化プランターは、上記実施の形態に何ら限定されるものでなく、土壌を支持する多孔発泡ポリスチレン、毛細管吸水機構等の具体的な形態については、本発明の上記の趣旨を逸脱しない範囲において種々の変更が可能であることは当然である。
【００３３】
【発明の効果】
本発明による屋上緑化プランターは、上部開口の有底容器と、有底容器の底部に敷設される容器上部との間に空間を確保する厚さの透水性多孔発泡ポリスチレンと、透水性多孔発泡ポリスチレンの上面に積層される土壌層と、有底容器の側部に在って土壌層の底面との間に所定の間隔を保って形成される水位設定水抜き孔と、透水性多孔発泡ポリスチレンの内部に形成される水抜き可能な貯留水部及び貯留水部と土壌層間に亘って配置される毛細管吸水機構から構成されており、毛細管吸水機構を透水性多孔発泡ポリスチレンの上面中央部に設けた凹部に充填する土壌で構成することを特徴としているので、植物の健全な生育を可能にして以下の効果を発揮している。
【００３４】
▲１▼　軽量化されることで移動を容易にしている。
▲２▼　配置する屋上面の汚染を防止できる。
▲３▼　屋上の美観を確保できる。
▲４▼　植栽する植物の根腐れを防止できる。
▲５▼　植栽する土壌の乾燥を防止できる。
▲６▼　屋上緑化プランターの保全を容易にできる。
【図面の簡単な説明】
【　図１】本発明による屋上緑化プランターの斜視図
【　図２】図１を（２）−（２）矢視した断面図
【符号の説明】
１　屋上緑化プランター、　２　容器、　３　多孔発泡ポリスチレン、
４　土壌層、　５　開口、　６　水栓、　７　水抜き孔、　８　空気層、
９　空隙、　１０　貯留水部、　１１　凹部、　１２　土壌、
１３　毛細管給水機構、
【図１】
2004121178.tif 000003
【図２】
2004121178.tif 000004